(57)【要約】【課題】センサが測定した生体情報と患者との対応付けを正確に行うことを支援することが可能なセンサを提供する。【解決手段】患者を識別することが可能な患者識別情報を取得することが可能な取得部１１と、取得部１１により取得された患者識別情報を記憶する記憶部１２と、患者の生体情報を検出することが可能な検出部１３と、記憶部１２に記憶された患者識別情報を生体情報に付与する付与部１４と、患者識別情報が付与された生体情報をベッドサイドモニタに向けて送信可能な送信部１５とを備える。【選択図】図２
2018005338.tif 000002
【特許請求の範囲】
【請求項１】
患者を識別することが可能な患者識別情報を取得することが可能な取得部と、
前記取得部により取得された前記患者識別情報を記憶する記憶部と、
前記患者の生体情報を検出することが可能な検出部と、
前記記憶部に記憶された前記患者識別情報を前記生体情報に付与する付与部と、
前記患者識別情報が付与された前記生体情報を外部機器に向けて送信可能な送信部と、
を備える、
センサ。
【請求項２】
前記取得部は、前記患者識別情報を入力可能な携帯型通信端末と認証された状態において、当該携帯型通信端末を介して前記患者識別情報を取得する、
請求項１に記載のセンサ。
【請求項３】
前記取得部は、患者識別情報が記憶されたＩＤタグから当該患者識別情報を読み取ることが可能なリーダ部である、
請求項１に記載のセンサ。
【請求項４】
前記記憶部に記憶された前記患者識別情報は、削除可能である、
請求項１から請求項３のいずれか一項に記載のセンサ。
【請求項５】
前記記憶部に記憶された前記患者識別情報は、削除不可能である、
請求項１から請求項３のいずれか一項に記載のセンサ。
【発明の詳細な説明】
【技術分野】
【０００１】
本発明は、対象者から情報を取得するためのセンサに関するものである。
【背景技術】
【０００２】
センサを患者に取り付けた状態で、センサと表示装置とをケーブル（有線）で接続する構成では、そのケーブルにより患者の動きを拘束してしまう場合がある。そこで、例えば、センサと表示装置とを無線で通信することを可能に構成したシステムがある（特許文献１参照）。
【先行技術文献】
【特許文献】
【０００３】
【特許文献１】米国特許第８５５８９３３号明細書
【発明の概要】
【発明が解決しようとする課題】
【０００４】
しかしながら、特許文献１に記載のシステムでは、複数の患者が表示装置の近距離にいる場合、センサと表示装置との間における無線通信が混線してしまい、センサが測定した生体情報と患者との対応付けを正確に行えない事態が考えられる。
【０００５】
そこで、本発明は、センサが測定した生体情報と患者との対応付けを正確に行うことを支援することが可能なセンサを提供することを目的とする。
【課題を解決するための手段】
【０００６】
上記目的を達成するために、本発明のセンサは、
患者を識別することが可能な患者識別情報を取得することが可能な取得部と、
前記取得部により取得された前記患者識別情報を記憶する記憶部と、
前記患者の生体情報を検出することが可能な検出部と、
前記記憶部に記憶された前記患者識別情報を前記生体情報に付与する付与部と、
前記患者識別情報が付与された前記生体情報を外部機器に向けて送信可能な送信部と、
を備える。
【０００７】
この構成によれば、外部機器では、生体情報と患者識別情報とが正確にリンクされた状態の生体情報（患者識別情報付き生体信号）を受信することが可能である。このため、生体情報と患者との対応付けを正確に行うことを支援することができる。例えば、その生体情報を計測したセンサと患者とを正確に対応付けた状態で、当該生体情報を表示画面等に表示させることができる。
【発明の効果】
【０００８】
本発明のセンサによれば、センサが測定した生体情報と患者との対応付けを正確に行うことを支援することができる。
【図面の簡単な説明】
【０００９】
【図１】本発明の実施形態に係るセンサの使用例を示す概要図である。
【図２】センサの機能を説明するためのブロック図である。
【図３】ベッドサイドモニタに表示されるメッセージ画像の一例を示す図である。
【図４】ベッドサイドモニタに表示される生体情報の一例を示す図である。
【図５】センサの変形例を示すブロック図である。
【発明を実施するための形態】
【００１０】
以下、本実施形態の一例について、図面を参照して説明する。
図１に示すように、本実施形態に係るセンサ１は、例えば心電図、酸素飽和度（ＳｐＯ２）、体温、呼吸等の生体情報を計測する際に患者に装着される。図１は、ある病院の一室に入院する患者がセンサ１を装着してベッド４１上に横になり、生体情報を計測されている様子を示している。この例では、心電図を計測するためのセンサ１ａと、ＳｐＯ２を計測するためのセンサ１ｂと、呼吸を計測するためのセンサ１ｃとが患者に装着されている。
【００１１】
センサ１は、近距離型の無線通信機能を有するワイヤレスセンサである。各センサ１は、各々がベッドサイドモニタ２（外部機器の一例）との間で無線通信（例えばBluetooth（登録商標））可能に構成されている。
【００１２】
ベッドサイドモニタ２は、病室１００の各入院患者が使用するベッド毎に設置されている。ベッドサイドモニタ２は、表示画面２１を有しており、無線通信でセンサ１から受信した患者の生体情報を表示画面２１に表示可能である。また、ベッドサイドモニタ２は、ナースステーション２００に設置されているナースコールシステム３との間で通信可能に構成されている。ベッドサイドモニタ２とナースコールシステム３とは、例えば有線ケーブルまたは無線ＬＡＮ（ＬＡＮ：Local Area Network）を介して接続可能である。
【００１３】
ナースコールシステム３には、入院している全患者の情報が記録された患者情報テーブルが保存されている。患者情報テーブルには、例えば患者ＩＤ（ＩＤ：identification）、患者氏名、入院する部屋番号、ベッド番号、担当医師、担当看護師等の情報が患者毎にそれぞれ対応付けて記憶されている。ナースコールシステム３は、患者情報テーブルの情報を無線通信でベッドサイドモニタ２に送信可能である。また、ナースコールシステム３は、表示画面３１を有しており、ベッドサイドモニタ２から受信した患者の生体情報を表示画面３１に表示可能である。
【００１４】
また、センサ１は、医療従事者が保有する携帯型通信端末４（例えば、スマートフォン、タブレット等）との間で無線通信（例えばBluetooth）可能に構成されている。各センサ１は、固有のセンサＩＤを有している。センサＩＤは、例えば視認可能な態様でセンサに表記されていてもよい。
【００１５】
携帯型通信端末４は、例えば医療従事者が指定するセンサ１に対して、患者を識別することが可能な患者識別情報を送信する。患者識別情報は、病院から各患者に付与されるユニークな患者情報であり、例えば患者ＩＤ、患者氏名、診察券番号等が含まれうる。
また、携帯型通信端末４は、上記無線ＬＡＮを介してナースコールシステム３と通信可能であり、患者情報テーブルの情報をナースコールシステム３から受信可能である。
【００１６】
各入院患者は、身体の一部、例えば手首や足首等にＩＤタグ５１が装着されている。ＩＤタグ５１は、その患者を識別することが可能な患者識別情報が記憶されており、例えばリストバンドに取り付けられている。リストバンドには患者識別情報が視認可能に表記されていてもよい。なお、ここで、「表記する」とは、例えば、リストバンド２が液晶画面を有し、ボタン操作等に応じてその液晶画面に患者の氏名等の患者識別情報が表示される態様も含み得る意味である。
【００１７】
図２に示すように、センサ１は、無線通信により、携帯型通信端末４から送信されてくる患者識別情報を取得することが可能な取得部１１を備えている。また、センサ１は、取得部１１で取得された患者識別情報を記憶する記憶部１２を備えている。
【００１８】
記憶部１２に記憶される患者識別情報は、患者ＩＤ、患者氏名、診察券番号等のうちの一種類の情報であっても複数種類の情報であってもよい。記憶部１２に記憶された患者識別情報は、削除することが可能である。また、記憶部１２には、新たな患者識別情報を記憶することが可能である。患者識別情報は、例えばセンサ１の電源がオフされるとともに消去されるようにしてもよいし、あるいはセンサ１が長時間使用されていない場合に消去されるようにしてもよい。
【００１９】
センサ１は、センサ１が装着される患者の生体情報を検出することが可能な検出部１３を備えている。また、センサ１は、記憶部１２に記憶された患者識別情報を検出部１３が検出した生体情報に付与する付与部１４を備えている。さらに、センサ１は、患者識別情報が付与された患者識別情報付き生体情報をベッドサイドモニタ２へ向けて無線で送信することが可能な送信部１５を備えている。なお、図示は省略されているが、センサ１は、各部に電力を供給する電源部（例えばコイン電池）と、電源部を起動させる電源スイッチとを備えている。
【００２０】
次に、図１〜図４を参照して、センサ１の動作を説明する。
先ず、初期設定として、入院が決まった患者（例えば、患者Ａと称する）に対して、ナースコールシステム３上で患者情報テーブルが作成される。また、例えばＩＤタグ５１が取り付けられるとともに、患者Ａの氏名（Ａ子さん）が表記されたリストバンドを患者Ａの手首に装着するようにしてもよい。
【００２１】
医療従事者は、患者Ａの生体情報を計測するために患者Ａが入院している病室１００に行き、例えばスマートフォン４（以下、スマホと称する）を用いて、患者Ａの生体情報を計測するために使用するセンサ１と患者Ａとの対応付けを行う。医療従事者は、使用するセンサ１の電源を起動させる。また、医療従事者は、スマホ４にインストールされている例えば「センサ対応付け」アプリケーションを起動させる。
【００２２】
スマホ４は、無線通信可能なエリア内に在るセンサを識別し、識別したセンサのセンサＩＤをスマホ４の画面上に表示する。例えば患者Ａの生体情報を計測するために医療従事者が持参したセンサ１が識別され、そのセンサＩＤがスマホ４の画面上に表示される。
【００２３】
医療従事者は、持参したセンサ１に表記されているセンサＩＤを確認し、そのセンサＩＤをスマホ４の画面上に表示されているセンサＩＤと照合して選択する。
【００２４】
この選択により、スマホ４と選択されたセンサ１との間が認証されて通信可能な状態となる。スマホ４は、認証された例えばセンサ１ａ〜１ｃに対して、生体情報の計測が行なわれる患者Ａの患者ＩＤを送信する。
【００２５】
各センサ１ａ〜１ｃは、スマホ４から送信されてくる患者ＩＤを取得部１１に取得し、取得した患者ＩＤをそれぞれの記憶部１２に記憶する。
【００２６】
医療従事者は、ベッド４１で横になっている患者Ａに対して、上記患者Ａの患者ＩＤが記憶されているセンサ１ａ〜１ｃを装着させる。なお、センサ１ａ〜１ｃが患者Ａに装着された後で、スマホ４からセンサ１ａ〜１ｃに患者ＩＤを送信し、送信された患者ＩＤを記憶部１２に記憶するようにしてもよい。
【００２７】
センサ１ａ〜１ｃが患者Ａに装着されると、各検出部１３が生体情報の検出を開始する。センサ１ａ〜１ｃの各付与部１４は、検出部１３によって検出された生体情報に対して記憶部１２に記憶されている患者Ａの患者ＩＤを付与する。
【００２８】
センサ１ａ〜１ｃの各送信部１５は、患者ＩＤが付与された患者ＩＤ付き生体情報をベッドサイドモニタ２へ向けて無線送信する。送信部１５は、例えば先頭のヘッダー領域に患者ＩＤを書き込み、ヘッダー領域の後段に続くデータ領域に心電図データを書き込んだ患者ＩＤ付きの生体情報を無線送信する。
【００２９】
ベッドサイドモニタ２は、患者ＩＤ付き生体情報を受信すると、ナースステーション２００のナースコールシステム３に保有されている患者情報テーブルを参照し、患者ＩＤに対応付けられている患者Ａの氏名（「Ａ子さん」）を特定する。ベッドサイドモニタ２は、例えば図３に示すように、表示画面２１に「Ａ子さんの生体情報を受信しました」というメッセージをポップアップ画面２２で表示する。
【００３０】
医療従事者は、ポップアップ画面２２の表示内容を確認し、Ａ子さんが患者本人であるかを確認した後、ポップアップ画面２２上をタッチする。
【００３１】
ベッドサイドモニタ２は、ポップアップ画面２２を消去させて、図４に示すように、表示画面２１上に患者Ａの生体情報を例えば患者Ａの氏名（「Ａ子さん」）と共に表示する。
【００３２】
上記ベッドサイドモニタ２に表示される患者Ａの各生体情報は、ナースコールシステム３側の操作により、ベッドサイドモニタ２からナースコールシステム３へ無線送信され、ナースコールシステム３の表示画面３１上に表示されうる。
【００３３】
患者Ａの生体情報の計測が終了し、センサ１ａ〜１ｃが患者Ａから取り外されて、例えばセンサ１ａ〜１ｃの電源がオフとされると、各記憶部１２に記憶されてあった患者Ａの患者ＩＤは消去される。これにより、センサ１ａ〜１ｃは、新たな生体情報の計測、例えば他の患者の計測に使用することが可能になる。
【００３４】
ところで、従来、ワイヤレスセンサを用いて患者情報を計測する医療機器では、例えば患者Ａにセンサａ１〜ａ３（図示せず）が装着され、患者Ｂにセンサｂ１〜ｂ３（図示せず）が装着されているような場合、センサから情報を受信した医療機器は、センサａ１の情報が患者Ａの情報であることを自動的に対応付けることができない。この場合、例えば各センサが有する機器番号と患者情報とを対応付けることが可能であるが、この対応付け作業においてヒューマンエラーが発生する可能性がある。また、例えばセンサ毎に患者ＩＤを手入力して対応付けることも考えられるが、上記同様にヒューマンエラーが発生する可能性があるとともに、患者が変わるたびに、対応付けした患者ＩＤを消込する作業が必要となり作業負荷が増大する。
【００３５】
これに対し、本実施形態のセンサ１によれば、例えば患者Ａの生体情報を計測する場合、患者Ａの患者ＩＤが患者Ａの生体情報を計測するために準備されたセンサ１ａ〜１ｃに対し、医療従事者のスマホ４を介して送信される。また、送信された患者Ａの患者ＩＤは、センサ１ａ〜１ｃの各記憶部１２に記憶される。このため、センサ１ａ〜１ｃは、それぞれの検出部１３によって検出された患者Ａの生体情報に対して、それぞれの記憶部１２に記憶されている患者Ａの患者ＩＤを間違いなく付与することができる。したがって、ベッドサイドモニタ２では、検出された患者Ａの生体情報と患者Ａの患者ＩＤとが正確に対応付けられた状態の患者ＩＤ付き生体情報の信号を受信することが可能であり、その生体情報を計測したセンサ１ａ〜１ｃと患者Ａ（「Ａ子さん」）とを正確に対応づけた状態で、表示画面２１等に表示することができる。
【００３６】
また、スマホ４を利用してセンサ１ａ〜１ｃの記憶部１２に患者ＩＤを記憶させることができるので医療従事者の利便性を高めることができる。また、センサ１ａ〜１ｃの記憶部１２内から患者ＩＤを削除した後、新たな患者の患者ＩＤを記憶することが可能なので、センサ１ａ〜１ｃを別の患者に再利用することができる。
【００３７】
＜変形例１＞
図５に示すように、センサ１の取得部１１は、例えば患者Ａのリストバンドに取り付けられたＩＤタグ５１から患者Ａの患者識別情報を読み取ることが可能なリーダ部１１Ａで構成するようにしてもよい。リーダ部１１Ａは、例えばＩＤタグ５１と通信を行う信号処理部を有し、ＩＤタグ５１に電波を送り、ＩＤタグ５１から送り返されてくる患者識別情報を受信することで患者識別情報を読み取る。
【００３８】
医療従事者は、患者Ａに装着されるセンサ１ａ〜１ｃと患者ＡのＩＤタグ５１との間で通信を行わせて、ＩＤタグ５１に記憶されている患者Ａの患者識別情報をセンサ１ａ〜１ｃの各リーダ部１１Ａに読み込ませる。各リーダ部１１Ａに読み込まれた患者識別情報は、センサ１ａ〜１ｃの各記憶部１２に記憶される。
【００３９】
医療従事者は、ベッド４１で横になっている患者Ａに対して、上記患者Ａの患者識別情報が記憶されているセンサ１ａ〜１ｃを装着させる。
患者に装着されたセンサ１の動作は、上記実施形態と同様である。
【００４０】
このような構成によれば、例えば患者が装着したリストバンド上の患者識別情報をセンサ１ａ〜１ｃのリーダ部１１Ａで読み取ることにより、センサ１ａ〜１ｃの記憶部１２に患者識別情報を記憶することができる。このため、医療従事者が携帯型通信端末を操作する必要がなく利便性が良い。また、センサ１ａ〜１ｃと患者Ａとをさらに正確に対応づけることができる。
【００４１】
＜変形例２＞
上記実施形態のセンサ１の構成において、記憶部１２に記憶された患者ＩＤは、削除することができないように構成されていてもよい。
このような構成によれば、例えば患者Ａの生体情報を計測する際に患者Ａの患者ＩＤが記憶されたセンサ１は、他の患者に使用することができなくなる。このため、センサ１は使い捨てとなり、他の患者に誤って転用されるリスクを低減することができる。
【００４２】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００４３】
例えば、病室が複数人の患者が入院している大部屋であって、スマホ４の無線通信可能なエリア内にセンサを装着した複数の患者が居るような場合、スマホ４の画面上には、それらの患者に装着されているセンサ１のセンサＩＤが全て表示される。その場合、医療従事者は、スマホ４の画面上に表示されたそれら複数の患者に装着されているセンサ１のセンサＩＤの中から生体情報を計測しようとする患者ＡのセンサＩＤを選択すればよい。
【符号の説明】
【００４４】
１（１ａ〜１ｃ）：センサ、２：ベッドサイドモニタ（外部機器の一例）、３：ナースコールシステム、４：携帯型通信端末、１１：取得部、１１Ａ：リーダ部、１２：記憶部、１３：検出部、１４：付与部、１５：送信部、２１，３１：表示画面、５１：ＩＤタグ、１００：病室、２００：ナースステーション
【図１】
2018005338.tif 000003
【図２】
2018005338.tif 000004
【図３】
2018005338.tif 000005
【図４】
2018005338.tif 000006
【図５】
2018005338.tif 000007